(57)【要約】【課題】冷蔵庫の冷凍室内において、収納容器内の収納物を起立させて効率よく収納することができる冷蔵庫を提供する。【解決手段】前面を開口した冷凍室１０５の下部冷凍室容器１０８内において、下部冷凍室容器１０８の底面に着脱自在に設置したＬ字状の仕切部材１１１と、それと有機的に関連した第二の仕切部材１１７とを備え、前記Ｌ字状の仕切部材１１１を左右方向に、それと有機的に関連した前記第二の仕切部材１１７を前後方向に移動させることにより、下部冷凍室容器１０８内の収納物の収納性を向上することができる。【選択図】図１
2005106327.tif 000002
【特許請求の範囲】
【請求項１】
前面を開口した冷凍室内に収納される収納容器と、前記収納容器の底面に着脱自在に設置し前記収納容器を左右に仕切るＬ字状の仕切部材とを有し、前記Ｌ字状の仕切部材の奥行寸法を前記収納容器の奥行と略同一とするとともに、前記Ｌ字状の仕切部材を前記収納容器内で左右に移動可能としたことを特徴とする冷蔵庫。
【請求項２】
前記Ｌ字状の仕切部材の底面部前後端部に曲面部を有するフランジを形成したことを特徴とする請求項１に記載の冷蔵庫。
【請求項３】
前記Ｌ字状の仕切部材の底面部の前記収納容器側４隅近傍に突起部を設けたことを特徴とする請求項１または２に記載の冷蔵庫。
【請求項４】
前記突起部の高さは、前記収納容器の底面に形成した凹凸部の段差よりも大きくしたことを特徴とする請求項３に記載の冷蔵庫。
【請求項５】
前記Ｌ字状の仕切部材内部を前後に仕切る第二の仕切部材を備え、前記第二の仕切部材が前後に移動可能にしたことを特徴とする請求項１から請求項４のいずれか一項に記載の冷蔵庫。
【請求項６】
前記第二の仕切部材の幅寸法を食パン１斤分の長さより若干長く設定したことを特徴とする請求項５に記載の冷蔵庫。
【請求項７】
前記Ｌ字状の仕切部材内部を前後に仕切る前記第二の仕切部材は、上辺端部に延出した断面コの字状の係合部を有し、前記係合部が前記Ｌ字状の仕切部材の仕切壁上辺と係合し、前記第二の仕切部材が前後に摺動可能としたことを特徴とする請求項５または６に記載の冷蔵庫。
【請求項８】
前記第二の仕切部材の上辺端部に延出した前記断面コの字状の前記係合部は、内側コーナー部に薄肉部を設けたことを特徴とする請求項７に記載の冷蔵庫。
【請求項９】
前記Ｌ字状の仕切部材内部を前後に仕切る前記第二の仕切部材は、下辺端部に延出した係合凸部を有し、前記係合凸部が前記Ｌ字状の仕切部材の仕切壁下辺近傍に設けた溝と係合し前記第二の仕切部材が前後に摺動可能としたことを特徴とする請求項５から請求項８のいずれか一項に記載の冷蔵庫。
【請求項１０】
前記第二の仕切部材の中央部に穴を設けたことを特徴とする請求項５から請求項９のいずれか一項に記載の冷蔵庫。
【請求項１１】
前記第二の仕切部材の外周部にリブを設けたことを特徴とする請求項５から請求項１０のいずれか一項に記載の冷蔵庫。
【請求項１２】
前記Ｌ字状の仕切部材の底面と前記第二の仕切部材の下辺との間に隙間を設け、前記隙間は市販の箱型冷凍食品の厚みよりも小さい３０ｍｍ程度としたことを特徴とする請求項５から請求項１１のいずれか一項に記載の冷蔵庫。
【請求項１３】
前記Ｌ字状の仕切部材の底面部前後端部に設ける前記曲面形状は前後方向に対称形状とし前後に逆転しても前記収納容器に収納可能としたことを特徴とする請求項２から請求項１２のいずれか一項に記載の冷蔵庫。
【請求項１４】
冷凍室を冷蔵庫の最下部に配置したことを特徴とする請求項１から請求項１３のいずれか一項に記載の冷蔵庫。
【発明の詳細な説明】
【技術分野】
【０００１】
本発明は、冷蔵庫の冷凍室内に収納される収納容器の仕切り構造に関するものである。
【背景技術】
【０００２】
従来、この種の前面を開口した冷蔵庫の冷凍室内は、上下に２つの収納容器を有し、前後方  向にスライドする構造となっている。（例えば、特許文献１参照）。
【０００３】
図５は、特許文献１に記載された従来の冷蔵庫の冷凍室内を示すものである。
【０００４】
図において、冷蔵庫１は、仕切壁２，３によって上下方向に３室に区切られており、上から冷蔵室４、冷凍室５、野菜室６となっている。冷凍室５内には、上下に２つの収納容器が配されており、上部収納容器７、下部収納容器８はそれぞれ前後方向に引き出し可能となっている。そして、上部収納容器７の深さを下部収納容器８より浅く設定している。
【０００５】
上記構成により、保存食品の大きさ、保存期間等により上部収納容器７、下部収納容器８への収納を選択して冷凍室５内の収納性を向上し、使い勝手の向上を図っている。
【特許文献１】特開平８−２７１１３５号公報
【発明の開示】
【発明が解決しようとする課題】
【０００６】
しかしながら、上記従来の前面を開口した冷蔵庫の冷凍室内の構成では、収納容器内に収納物が多層に積重なることが多く、前記収納物を起立させて収納しようとしても、前記収納容器内に前記収納物を支える部材がないため、前記収納物は不安定で倒れ易く、前記収納容器内に前記収納物を効率よく収納することができないという課題を有していた。
【０００７】
本発明は、上記従来の課題を解決するもので、前記収納容器内の前記収納物を、効率よく収納することができる冷蔵庫を提供することを目的とする。
【課題を解決するための手段】
【０００８】
上記従来の課題を解決するために、本発明の冷蔵庫は、前面を開口した冷凍室内に収納される収納容器と、前記収納容器の底面に着脱自在に設置し前記収納容器を左右に仕切るＬ字状の仕切部材と、それと有機的に関連し前後に仕切る第二の仕切部材を有し、前記Ｌ字状の仕切部材の奥行寸法を前記収納容器の奥行と略同一とするとともに、前記Ｌ字状の仕切部材を前記収納容器内で左右に移動可能としたものである。
【０００９】
これによって、前記Ｌ字状の仕切部材および、それと有機的に関連し前後に仕切る前記第二の仕切部材は、前記収納容器内において収納物を支える作用を有する。
【発明の効果】
【００１０】
本発明の冷蔵庫は、前面を開口した冷凍室の収納容器内において、前記収納容器の底面に着脱自在に設置したＬ字状の仕切部材と、それと有機的に関連した第二の仕切部材を前後左右に移動させることにより、前記収納容器内の収納物を起立させて保持し、効率よく収納することができ、使い勝手の向上が図れる。
【発明を実施するための最良の形態】
【００１１】
請求項１に記載の発明は、前面を開口した冷凍室内に収納される収納容器内において、前記収納容器の底面に着脱自在に設置したＬ字状の仕切部材を有し、前記Ｌ字状の仕切部材の奥行寸法を前記収納容器の奥行と略同一とするとともに、前記Ｌ字状の仕切部材を前記収納容器内で左右に移動可能としたことにより、前記Ｌ字状の仕切部材は前記収納容器内において収納物を支える作用を有し、効率よく収納物を保持し収納することができる。
【００１２】
請求項２に記載の発明は、請求項１に記載の発明において、前記Ｌ字状の仕切部材の底面部前後端部に曲面部を有するフランジを形成することにより、前記収納容器の内部の曲面部と適度な接触面積を有し、前記収納容器内において左右に移動させるための拘束力を生じさせ、それにより前記Ｌ字状の仕切部材は左右に滑らかに移動することができる。
【００１３】
請求項３に記載の発明は、請求項１または２に記載の発明において、前記Ｌ字状の仕切部材の底面部の前記収納容器側４隅近傍に突起部を設けたことにより、前記収納容器の底面部との接触面積を低減させることとなり、前記Ｌ字状の仕切部材と前記収納容器の底面部との凍結による固着を防ぐことができる。
【００１４】
請求項４に記載の発明は、請求項３に記載の発明において、前記突起部の高さを、前記収納容器の底面に形成した凹凸部の段差よりも大きくしたことにより、前記Ｌ字状の仕切部材の底面部を確実に収納容器の底面から離間させることができ、前記Ｌ字状の仕切部材と前記収納容器の底面部との凍結による固着を確実に防ぐことができる。
【００１５】
請求項５に記載の発明は、請求項１から請求項４のいずれか一項に記載の発明において、前記Ｌ字状の仕切部材内部を前後に仕切る前記第二の仕切部材を備え、前記第二の仕切部材を前後に移動可能にしたことにより、前記収納容器の前後方向にも前記収納物を支える作用を有することになり、前記収納容器内において、前後および左右方向に前記収納物を起立させて保持し、効率よく収納することができる。
【００１６】
請求項６に記載の発明は、請求項５に記載の発明において、前記Ｌ字状の仕切部材内部を前後に仕切る前記第二の仕切部材の幅寸法を食パン１斤分（約１１６ｍｍ）の長さより若干長く設定したことにより、前記Ｌ字状の仕切部材を前記収納容器の内壁ぎりぎりまで寄せた場合、前記第二の仕切部材が先に前記収納容器の内壁に接触することとなり、食パン１斤分の長さより若干長いスペースを確保することができ、食パンに余分な外力が加わることを防止することができる。
【００１７】
請求項７に記載の発明は、請求項５または６に記載の発明において、前記Ｌ字状の仕切部材内部を前後に仕切る前記第二の仕切部材は、上辺端部に延出した断面コの字状の係合部を有し、前記係合部が前記Ｌ字状の仕切部材の仕切壁上辺と係合することにより、他の固定用部材を介在させることなく前記第二の仕切部材を前記Ｌ字状の仕切部材に係合することが可能となり、前記Ｌ字状の仕切部材内部において、前記第二の仕切部材を前後に摺動可能とすることができる。
【００１８】
請求項８に記載の発明は、請求項７に記載の発明において、前記第二の仕切部材の上辺端部に延出した断面コの字状の前記係合部は、内側コーナー部に薄肉部を設けたことにより、他の部分よりも柔軟性に富むこととなり、前記第二の仕切部材は容易に前記Ｌ字状の仕切部材に係合させることができる。
【００１９】
請求項９に記載の発明は、請求項５から請求項８のいずれか一項に記載の発明において、前記Ｌ字状の仕切部材内部を前後に仕切る前記第二の仕切部材は、下辺端部に延出した係合凸部を有し、前記係合凸部が前記Ｌ字状の仕切部材の仕切壁下辺近傍に設けた溝と係合することにより、前記第二の仕切部材は左右方向の拘束を受けることとなり、前記第二の仕切部材は前記Ｌ字状の仕切部材から外れることなく前後に摺動可能とすることができる。
【００２０】
請求項１０に記載の発明は、請求項５から請求項９のいずれか一項に記載の発明において前記第二の仕切り部材の中央部に穴を設けたことにより、前面を開口した前記冷凍室内に収納される前記収納容器内部の冷気の対流を阻害することがなくなり、前記収納容器内部の温度分布を均一に保つことができる。
【００２１】
請求項１１に記載の発明は、請求項５から請求項１０のいずれか一項に記載の発明において、前記第二の仕切部材の外周部にリブを設けたことにより、撓み強度が向上することとなり、前記第二の仕切部材を軽量化することができる。
【００２２】
請求項１２に記載の発明は、請求項５から請求項１１のいずれか一項に記載の発明において、前記Ｌ字状の仕切部材の底面と前記第二の仕切部材の下辺との間に隙間を設け、前記隙間は市販の箱型冷凍食品の厚みよりも小さい３０ｍｍ程度としたことにより、前記箱型冷凍食品が前記Ｌ字状の仕切部材の底面と前記第二の仕切部材の下辺との間に滑り込むことを防止し、前記第二の仕切部材は障害なく前後方向に摺動することができる。
【００２３】
請求項１３に記載の発明は、請求項２から請求項１２のいずれか一項に記載の発明において、前記Ｌ字状の仕切部材の底面部前後端部に設ける前記曲面形状は前後方向に対称形状とし、前後に逆転しても前記収納容器に収納可能としたことにより、使用方向の拘束がなくなり、前記収納容器の左右どちら側でも前記収納物を起立させて保持し、効率よく収納することができる。
【００２４】
請求項１４に記載の発明は、請求項１から請求項１３のいずれか一項に記載の発明において、冷凍室を冷蔵庫の最下部に配置したことにより、冷気を制御しやすくすると共に、前記収納物の可視認識を容易にすることとなり、前記収納物を起立させて保持し、効率よく収納することができる。
【００２５】
以下、本発明の実施の形態について、図面を参照しながら説明する。なお、この実施の形態によってこの発明が限定されるものではない。
【００２６】
（実施の形態１）
図１は本発明の実施の形態１における冷蔵庫の概略断面図、図２は、同実施の形態の冷蔵庫の下部冷凍室容器の斜視図、図３は、下部冷凍室容器内の仕切部材を示す斜視図、図４は、下部冷凍室容器内の仕切部材を底面から見た斜視図である。
【００２７】
図１において、前面を開口した冷蔵庫本体１０１は、仕切壁１０２、１０３、１０９によって上下方向に４室に区切られており、上から冷蔵室１０４、野菜室１０６、切替室１１０、冷凍室１０５を形成し、冷凍室１０５は冷蔵庫本体１０１の最下部に配置している。そして、冷凍室１０５内には、上下に上部冷凍室容器１０７、下部冷凍室容器１０８が配置され、それぞれ前後方向に引き出し可能に支持されている。
【００２８】
また、図２から図４において、Ｌ字状の仕切部材１１１は、垂直部１１２と底面部１１３を一体に成形した断面略Ｌ字形状を形成している。また、Ｌ字状の仕切部材１１１の奥行寸法Ｄは、下部冷凍室容器１０８の奥行寸法と略同一とし、垂直部１１２により下部冷凍室容器１０８を左右に仕切るとともに、Ｌ字状の仕切部材１１１は下部冷凍室容器１０８内で左右に移動可能としている。
【００２９】
また、Ｌ字状の仕切部材１１１の底面部１１３の前後端部には曲面部１１４を有するフランジ１１５を形成し、前後端部の曲面部１１４の曲面形状は前後方向に対称形状とし、Ｌ字状の仕切部材１１１を下部冷凍室容器１０８内で前後方向に１８０°回転しても収納可能としている。
【００３０】
また、Ｌ字状の仕切部材１１１の底面部１１３の下部冷凍室容器１０８側には突起部１１６を４隅近傍に設け、突起部１１６の高さは、下部冷凍室容器１０８の底面に補強のために形成した凹凸部（図示ぜず）の段差よりも大きくしている。
【００３１】
また、Ｌ字状の仕切部材１１１の内部には前後に仕切る第二の仕切部材１１７を備え、第二の仕切部材１１７の幅寸法Ｌは、食パン１斤分の長さ（約１１６ｍｍ）より若干長い、例えば１３０ｍｍ程度に設定している。
【００３２】
また、第二の仕切部材１１７の上辺端部には延出した断面コの字状の係合部１１８を有し、係合部１１８がＬ字状の仕切部材１１１の垂直部１１２の上辺と係合し、第二の仕切部材１１７が前後に移動可能としている。
【００３３】
また、断面コの字状の係合部１１８の内側コーナー部には薄肉部を設けている。
【００３４】
また、Ｌ字状の仕切部材１１１の内部を前後に仕切る第二の仕切部材１１７は、下辺端部に延出した係合凸部１１９を有し、係合凸部１１９がＬ字状の仕切部材１１１の垂直部１１２下辺近傍に設けた溝１２０と係合し前後に摺動可能としている。
【００３５】
また、第二の仕切部材１１７の中央部には穴１２１を設け、また外周部にはリブ１２２を設けている。
【００３６】
また、Ｌ字状の仕切部材１１１の底面部１１３と第二の仕切部材１１７の下辺との間に隙間Ｈを設け、前記隙間Ｈは市販の箱型冷凍食品の厚みよりも小さい３０ｍｍ程度としている。
【００３７】
上記構成により、Ｌ字状の仕切部材１１１は、垂直部１１２と底面部１１３を一体に成形した断面略Ｌ字形状を形成し、Ｌ字状の仕切部材１１１の奥行寸法Ｄは、下部冷凍室容器１０８の奥行寸法と略同一とし、垂直部１１２により下部冷凍室容器１０８を左右に仕切るとともに、Ｌ字状の仕切部材１１１は下部冷凍室容器１０８内で左右に移動可能としているので、下部冷凍室容器１０８内に保存する際、整理して効率よく収納物を保持し収納することができるので使い勝手が向上する。
【００３８】
また、Ｌ字状の仕切部材１１１の底面部１１３の前後端部には曲面部１１４を有するフランジ１１５を形成しているので、強度を高められるとともに、下部冷凍室容器１０８内において、接触抵抗を減らし、Ｌ字状の仕切部材１１１は左右に滑らかに移動することができ、操作性が向上する。
【００３９】
また、Ｌ字状の仕切部材１１１の底面部１１３の下部冷凍室容器１０８側には突起部１１６を４隅近傍に設けているので、下部冷凍室容器１０８の底面部との接触面積を低減させることとなり、前記Ｌ字状の仕切部材１１１と下部冷凍室容器１０８との凍結による固着を防ぐことができる。
【００４０】
また、前記突起部１１６の高さは、下部冷凍室容器１０８の底面に補強のために形成した凹凸部（図示ぜず）の段差よりも大きくしているので、Ｌ字状の仕切部材１１１の底面部を確実に下部冷凍室容器１０８の底面から離間させることができ、前記Ｌ字状の仕切部材１１１と下部冷凍室容器１０８との凍結による固着を確実に防ぐことができる。
【００４１】
また、Ｌ字状の仕切部材１１１の内部には、さらに前後に仕切る第二の仕切部材１１７を備え、第二の仕切部材１１７を前後方向に移動可能としているので、下部冷凍室容器１０８内において、前後および左右方向に自由に仕切位置を設定することができ、さらに収納物の効率的な収納が可能となる。
【００４２】
また、第二の仕切部材１１７の幅寸法Ｌは、食パン１斤分の長さ（約１１６ｍｍ）より若干長い、１３０ｍｍ程度に設定しているので、Ｌ字状の仕切部材１１１を下部冷凍室容器１０８の内壁ぎりぎりまで寄せた場合でも、前記第二の仕切部材１１７が先に内壁に接触することとなり、一般的によく売られている1斤の食パンをそのまま保存した場合でも余分な外力が加わることなく食パンの変形を防止できる。
【００４３】
また、第二の仕切部材１１７の上辺端部には延出した断面コの字状の係合部１１８を有し、係合部１１８がＬ字状の仕切部材１１１の垂直部１１２の上辺と係合し、第二の仕切部材１１７が前後に移動可能としているので、他の固定用部材を介在させることなく前記第二の仕切部材１１７を前記Ｌ字状の仕切部材１１１に係合することで、低コスト化、取付バラツキを低減できる。
【００４４】
また、断面コの字状の係合部１１８の内側コーナー部には薄肉部を設けているので、第二の仕切部材１１７は容易にＬ字状の仕切部材１１１に係合させることができる。
【００４５】
また、Ｌ字状の仕切部材１１１の内部を前後に仕切る第二の仕切部材１１７は、下辺端部に延出した係合凸部１１９を有し、係合凸部１１９がＬ字状の仕切部材１１１の垂直部１１２下辺近傍に設けた溝１２０と係合し前後に摺動可能としているので、第二の仕切部材１１７の複数の係合によるひねり強度が増し、第二の仕切部材１１７の操作性が向上する。
【００４６】
また、第二の仕切部材１１７の中央部には穴１２１を設けているので、第二の仕切部材１１７による冷気対流の阻害を低減することができ、温度分布を均一化することができる。また、第二の仕切部材１１７を操作する際、穴１２１により指の握りが確実となり操作性が向上する。
【００４７】
また、第二の仕切部材１１７の外周部にはリブ１２２を設けているので、撓み強度が向上し、前記穴１２１の形成と合わせ、第二の仕切部材１１７を軽量化することができる。
【００４８】
また、Ｌ字状の仕切部材１１１の底面部１１３と第二の仕切部材１１７の下辺との間に隙間Ｈを設け、前記隙間Ｈは市販の箱型冷凍食品の厚みよりも小さい３０ｍｍ程度としているので、箱型冷凍食品がＬ字状の仕切部材１１１の底面と第二の仕切部材１１７の下辺との間に入り込むことがなくなり、第二の仕切部材１１７は障害なく前後方向に摺動することができる。また、底面部の冷気対流の向上も図れる。
【００４９】
また、Ｌ字状の仕切部材１１１の底面部１１３の前後端部には曲面部１１４を有するフランジ１１５を形成し、前後端部の曲面部１１４の曲面形状は前後方向に対称形状とし、Ｌ字状の仕切部材１１１を下部冷凍室容器１０８内で前後方向に１８０°回転しても収納可能としているので、使用方向の拘束がなくなり、前記収納容器の左右どちら側でも前記収納物を起立させて保持し、効率よく収納することができる。
【００５０】
また、冷凍室１０５を冷蔵庫１０１の最下部に配置したので、上方からの視野と前記仕切部材の適用により、収納物の視認性、収納性を相乗的に高めることができる。
【産業上の利用可能性】
【００５１】
以上のように、本発明にかかる冷蔵庫は、冷凍室容器内の収納物を効率よく収納することが可能となるので、引き出し式の収納装置等の用途にも適用できる。
【図面の簡単な説明】
【００５２】
【図１】本発明の実施の形態１における冷蔵庫の概略断面図
【図２】同実施の形態の冷蔵庫の下部冷凍室容器の斜視図
【図３】同実施の形態の冷蔵庫の下部冷凍室容器内の仕切部材を示す斜視図
【図４】同実施の形態の冷蔵庫の下部冷凍室容器内の仕切部材を底面から見た斜視図
【図５】従来の冷蔵庫の概略断面図
【符号の説明】
【００５３】
１０１    冷蔵庫本体
１０５    冷凍室
１０８    下部冷凍室容器
１１１    Ｌ字状の仕切部材
１１２    垂直部
１１３    底面部
１１４    曲面部
１１５    フランジ
１１６    突起部
１１７    第二の仕切部材
１１８    断面コの字状の係合部
１１９    係合凸部
１２０    溝
１２１    穴
１２２    リブ
【図１】
2005106327.tif 000003
【図２】
2005106327.tif 000004
【図３】
2005106327.tif 000005
【図４】
2005106327.tif 000006
【図５】
2005106327.tif 000007